【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
複数のユーザに対応する個人好みデータであって、各ユーザに対する少なくとも一つの個人照明パラメータを含む複数のユーザの各々に対応する当該個人好みデータを格納する第１のメモリと、第１のメモリから離れた位置にあるネットワークとを有する照明管理システムであって、前記ネットワークは、制御可能な出力設定を持つ少なくとも一つの光源と、少なくとも一つの標準照明パラメータを含むスキーマを格納する第２のメモリと、現行ユーザのアイデンティティを検出するセンサシステムと、前記少なくとも一つの光源、第２のメモリ及び前記センサシステムと通信する実行モジュールとを有し、前記実行モジュールはコントローラを含み、前記実行モジュールは前記センサシステムから前記現行ユーザのアイデンティティを受けて、現行ユーザに対応する前記個人好みデータを決定するために第１のメモリと通信する、照明管理システム。
【請求項２】
前記実行モジュールは、現行ユーザの前記個人照明パラメータに適合するように前記スキーマを修正し、前記実行モジュールは、修正されたスキーマを、前記少なくとも一つの光源の出力設定を制御するための指示へ翻訳する、請求項１に記載の照明管理システム。
【請求項３】
前記実行モジュールは、前記少なくとも一つの光源の前記出力設定に従って前記修正されたスキーマを解釈することにより、前記修正されたスキーマを指示へ翻訳する、請求項２に記載の照明管理システム。
【請求項４】
前記実行モジュールは、前記修正されたスキーマを第２のメモリに格納する、請求項２に記載の照明管理システム。
【請求項５】
前記センサシステムは現行ユーザの不在を検出し、前記実行モジュールは、前記標準照明パラメータに適合するように前記修正されたスキーマを修正し、前記実行モジュールは、修正されたスキーマを第２のメモリに格納する、請求項１に記載の照明管理システム。
【請求項６】
前記センサシステムは追加ユーザのアイデンティティを検出し、前記実行モジュールは前記センサシステムからの追加ユーザの前記アイデンティティを受け、追加ユーザに対応する個人好みデータを決定するため第１のメモリと通信し、共有される個人照明パラメータを生成し、前記共有される個人照明パラメータに適合させるため前記スキーマを修正し、修正されたスキーマを前記少なくとも一つの光源の出力設定を制御するための指示へ翻訳する、請求項１に記載の照明管理システム。
【請求項７】
前記実行モジュールは現行ユーザの個人照明パラメータと追加ユーザの個人照明パラメータとを平均することにより、前記共有される個人照明パラメータを生成する、請求項６に記載の照明管理システム。
【請求項８】
前記実行モジュールは現行ユーザの個人照明パラメータ及び追加ユーザの個人照明パラメータの一つを選択することにより、前記共有される個人照明パラメータを生成する、請求項６に記載の照明管理システム。
【請求項９】
前記センサシステムは現行ユーザにより坦持される無線周波数識別カードを検出することにより現行ユーザのアイデンティティを検出する、請求項１に記載の照明管理システム。
【請求項１０】
前記センサシステムは現行ユーザに対応するバイオメトリックデータを検出することにより現行ユーザのアイデンティティを検出する、請求項１に記載の照明管理システム。
【請求項１１】
前記センサシステムは環境データ及び挙動データを検出し、前記実行モジュールは前記環境データ及び前記挙動データの少なくとも一つに従って前記スキーマを修正する、請求項１に記載の照明管理システム。
【請求項１２】
第２のメモリは複数のスキーマを格納し、前記実行モジュールは現行ユーザの個人好みデータに依存して前記複数のスキーマの一つを選択し、前記実行モジュールは選択されたスキーマを前記少なくとも一つの光源の出力設定を制御するための指示へ翻訳する、請求項１に記載の照明管理システム。
【請求項１３】
前記センサシステムは前記少なくとも一つの光源の動作エラーを示す光源出力データを検出し、前記実行モジュールは前記動作エラーを訂正するため訂正信号を前記少なくとも一つの光源に供給する、請求項１に記載の照明管理システム。
【請求項１４】
前記ネットワークは、更に、前記スキーマを生成するためのスキーマ生成器を有する、請求項１に記載の照明管理システム。
【請求項１５】
前記少なくとも一つの光源は、有線通信リンク、無線通信リンク、無線周波数通信リンク、及び光通信リンクの少なくとも一つを使用して互いに通信する複数の光源を含む、請求項１に記載の照明管理システム。
【請求項１６】
前記ネットワークは、更に、エージェントモジュールを有し、前記実行モジュールは前記エージェントモジュールとの通信を介して第２のメモリと通信する、請求項１に記載の照明管理システム。
【請求項１７】
システムパラメータを観察するためのセンサシステムと、ネットワークを介して前記センサシステムと通信する、制御可能な出力設定を持つ少なくとも一つの光源と、前記ネットワークを介して前記センサシステム及び前記少なくとも一つの光源と通信し、通信リンクを介して少なくとも一つのスキーマを格納する遠隔メモリと通信する実行モジュールとを有し、前記実行モジュールは、コントローラを含み、前記センサシステムからの観察されたシステムパラメータを受けて、前記観察されたシステムパラメータの少なくとも一つを示す情報を含むスキーマに対するリクエストを前記遠隔メモリに伝達し、遠隔データベースからスキーマを受けて、前記スキーマを前記少なくとも一つの光源の出力設定を制御するための指示へ変換する、照明管理システム。
【請求項１８】
前記少なくとも一つの光源は少なくとも一つの照明器具を含む、請求項１７に記載の照明管理システム。
【請求項１９】
前記観察されたシステムパラメータは、一人以上の人に関係し、一人以上の人の存在、一人以上の人のアイデンティティ、一人以上の人の位置、一人以上の人の存在時間、一人以上の人のジェスチャ、一人以上の人のアクション、一人以上の人の顔、一人以上の人により発される音の少なくとも一つを含む、請求項１７に記載の照明管理システム。
【請求項２０】
前記観察されたシステムパラメータは、前記少なくとも一つの光源からの出力、周囲の照明のレベル、昼日光の量、動き、温度、湿度レベル、天気及び雑音の少なくとも一つを含む、請求項１７に記載の照明管理システム。
【請求項２１】
前記実行モジュールは、前記少なくとも一つの光源内に位置されるか、又は有線通信リンク、無線通信リンク、無線周波数通信リンク、及び光通信リンクの少なくとも一つを使用して、互いと通信する複数の光源間に分配される、請求項１７に記載の照明管理システム。
【請求項２２】
前記実行モジュールは、メモリと、前記少なくとも一つの光源及び前記センサシステムの少なくとも一つとの通信を促進するための第１のインターフェースと、前記通信リンクを介して前記遠隔メモリとの通信を促進するための第２のインターフェースとを含む、請求項１７に記載の照明管理システム。
【請求項２３】
前記実行モジュールは、前記少なくとも一つの光源の前記出力設定に従って前記スキーマを解釈することにより前記スキーマを指示へ変換する、請求項１７に記載の照明管理システム。
【請求項２４】
コントローラを含む実行モジュールで、センサシステムから観察されたシステムパラメータを受けるステップと、前記観察されたシステムパラメータの少なくとも一つを示す情報を含む、スキーマに対するリクエストを、前記実行モジュールから離れた位置にあるデータ格納部へ伝達するステップと、前記実行モジュールで前記データ格納部からスキーマを受けるステップと、前記実行モジュールにより、前記スキーマを前記少なくとも一つの光源の出力設定を制御する指示へ変換するステップとを有する、照明管理システムを実行するための方法。
【請求項２５】
前記観察されたシステムパラメータを受けるステップは、現行ユーザのアイデンティティを受けるステップを有し、伝達される前記リクエストは現行ユーザのアイデンティティを示す情報を含み、受けた前記スキーマは現行ユーザの存在に従う照明パラメータを含む、請求項２４に記載の方法。
【請求項２６】
受けた前記スキーマをローカルメモリに格納するステップを更に有する、請求項２４に記載の方法。
【請求項２７】
前記変換するステップは、前記実行モジュールにより、前記少なくとも一つの光源の前記出力設定に従って、前記スキーマを解釈するステップを含む、請求項２４に記載の方法。
【請求項２８】
複数のユーザに対応する個人好みデータを格納する第１のメモリであって、複数のユーザの各々に対応する前記個人好みデータは各ユーザに対する少なくとも一つの個人照明パラメータを含む第１のメモリと、第１のメモリから離れた位置にあるネットワークとを有する照明管理システムであって、前記ネットワークは、制御可能な出力設定を持つ少なくとも一つの光源と、現行ユーザのアイデンティティを検出するセンサシステムと、前記少なくとも一つの光源、第２のメモリ及び前記センサシステムと通信する実行モジュールとを有し、前記実行モジュールは、少なくとも一つの標準照明パラメータを格納する第２のメモリとコントローラとを含み、前記実行モジュールは、前記センサシステムから現行ユーザのアイデンティティを受け、現行ユーザに対応する個人好みデータを決定するため第１のメモリと通信し、現行ユーザの個人照明パラメータに適合させるため前記標準照明パラメータを修正し、前記実行モジュールは、前記個人照明パラメータを前記少なくとも一つの光源の前記出力設定を制御するための指示へ翻訳する、照明管理システム。